(57)【要約】【課題】  型枠を離脱する場合コンクリート硬化後に軸足ボルトと型枠を除去し、コーン除去具を回転することでコンクリート面よりコーン本体が取外されていた。しかしながら、コンクリート硬化後の軸足ボルトや型枠の除去などに多大な作業時間を必要とする問題点があった。本発明はこれらの問題を解決するための型枠間隔保持接続兼用型枠除去具及びコンクリート型枠工法を提供するものである。【解決手段】  円錐台形状のコーンの小径側端面に、セパレータの一端を螺合するセパレータ受溝の雌ネジ部と、前記コーンの大径側端面に六角形状の凹部を形成し、前記凹部の底面に十字形状等の締結具で挿入固定できる十字形状等の締結溝と、軸足ボルトの一端を螺合する軸足受溝の雌ネジ部から構成されている。また、コンクリートを打設しコンクリート躯体から、前記型枠間隔保持接続兼用型枠除去具を螺合離脱させ、コンクリート型枠を解体撤去するコンクリート型枠工法である。【選択図】図１
2008255760.tif 000002
【特許請求の範囲】
【請求項１】
円錐台形状のコーンの小径側端面に、セパレータの一端を螺合するセパレータ受溝の雌ネジ部と、前記コーンの大径側端面に六角形状等の凹部を形成し、前記凹部の底面に十字形状等の締結具で挿入螺合できる十字形状等の締結溝と、軸足ボルトの一端を螺合する軸足受溝の雌ネジ部から構成されていることを特徴とする型枠間隔保持接続兼用型枠除去具。
【請求項２】
円錐台形状のコーンの小径側端面に、セパレータの一端を螺合するセパレータ受溝の雌ネジ部と、前記コーンの大径側端面に突出する軸足と、前記軸足の先端を四角形状等の締結凸部に形成し、前記先端に四角形状等の締結具を螺合できるように構成されていることを特徴とする型枠間隔保持接続兼用型枠除去具。
【請求項３】
セパレータと雌ネジが一体となった型枠間隔保持具に、接続される軸足ボルトで、一端に十字形状等の締結具で螺合できる十字形状等の締結溝と、中央に板状の締結受部から構成されていることを特徴とする型枠間隔保持接続兼用型枠除去具。
【請求項４】
コンクリート型枠を、コンクリート打設面に固定してコンクリートを打設しコンクリート躯体を形成するコンクリート打設工程と、形成されたコンクリート躯体から型枠間隔保持接続兼用型枠除去具を螺合離脱させ、コンクリート型枠を解体撤去するコンクリート型枠除去工程とを有する請求項１記載のコンクリート型枠工法。
【請求項５】
コンクリート型枠を、コンクリート打設面に固定してコンクリートを打設しコンクリート躯体を形成するコンクリート打設工程と、形成されたコンクリート躯体から型枠間隔保持接続兼用型枠除去具を螺合離脱させ、コンクリート型枠を解体撤去するコンクリート型枠除去工程とを有する請求項２記載のコンクリート型枠工法。
【請求項６】
コンクリート型枠を、コンクリート打設面に固定してコンクリートを打設しコンクリート躯体を形成するコンクリート打設工程と、形成されたコンクリート躯体から型枠間隔保持接続兼用型枠除去具を螺合離脱させ、コンクリート型枠を解体撤去するコンクリート型枠除去工程とを有する請求項３記載のコンクリート型枠工法。
【発明の詳細な説明】
【技術分野】
【０００１】  本発明は、コンクリート型枠工事における型枠間の間隔を保持する目的と、型枠の解体撤去を容易にすることができる型枠間隔保持具に関する。
【背景技術】
【０００２】  従来は、型枠間を間隔保持具で所定間隔に保持した状態でコンクリートを打設していた。特にコーン付き間隔保持具を使用する場合、円錐台形状で中央部に雌ネジ部が形成された小径側端部にセパレータを螺合し、また大径側端面に凹部が形成され、この底面側の雌ネジ部には軸足ボルトが螺合される。即ち、型枠外側よりナット等で螺合され、型枠がコーン本体とナット等で挟持されるように構成されている。従って、型枠を離脱する場合、コンクリート硬化後に軸足ボルトと型枠を除去し、コーン除去具を回転することでコンクリート面よりコーン本体が取外されていた。
【発明の開示】
【発明が解決しようとする課題】
【０００３】  しかしながら、コンクリート硬化後の軸足ボルトや型枠の除去などに多大な作業時間を必要とする問題点があった。本発明はこれらの問題を解決するための型枠間隔保持接続兼用型枠除去具及びコンクリート型枠工法を提供するものである。
【課題を解決するための課題】
【０００４】  上記のような課題を解決するために本発明は次のような構成を有する。
円錐台形状のコーンの小径側端面に、セパレータの一端を螺合するセパレータ受溝の雌ネジ部と、前記コーンの大径側端面に六角形状等の凹部を形成し、前記凹部の底面に十字形状等の締結具で挿入螺合できる十字形状等の締結溝と、軸足ボルトの一端を螺合する軸足受溝の雌ネジ部から構成されていることを特徴とする型枠間隔保持接続兼用型枠除去具である。また、コンクリート型枠を、コンクリート打設面に固定してコンクリートを打設しコンクリート躯体を形成するコンクリート打設工程と、形成されたコンクリート躯体から前記型枠間隔保持接続兼用型枠除去具を螺合離脱させ、コンクリート型枠を解体撤去するコンクリート型枠除去工程とを有する請求項１記載のコンクリート型枠工法である。
【０００５】  円錐台形状のコーンの小径側端面に、セパレータの一端を螺合するセパレータ受溝の雌ネジ部と、前記コーンの大径側端面に突出する軸足と、前記軸足の先端を四角形状等の締結凸部に形成し、前記先端に四角形状等の締結具を螺合できるように構成されていることを特徴とする型枠間隔保持接続兼用型枠除去具である。また、コンクリート型枠を、コンクリート打設面に固定してコンクリートを打設しコンクリート躯体を形成するコンクリート打設工程と、形成されたコンクリート躯体から前記型枠間隔保持接続兼用型枠除去具を螺合離脱させ、コンクリート型枠を解体撤去するコンクリート型枠除去工程とを有する請求項２記載のコンクリート型枠工法である。
【０００６】  セパレータと雌ネジが一体となった型枠間隔保持具に、接続される軸足ボルトで、一端に十字形状等の締結具で螺合できる十字形状等の締結溝と、中央に板状の締結受部から構成されていることを特徴とする型枠間隔保持接続兼用型枠除去具である。また、コンクリート型枠を、コンクリート打設面に固定してコンクリートを打設しコンクリート躯体を形成するコンクリート打設工程と、形成されたコンクリート躯体から前記型枠間隔保持接続兼用型枠除去具を螺合離脱させ、コンクリート型枠を解体撤去するコンクリート型枠除去工程とを有する請求項３記載のコンクリート型枠工法である。
【発明の効果】
【０００７】  本発明は次のような構成を有する。
円錐台形状のコーンの小径側端面に、セパレータの一端を螺合するセパレータ受溝の雌ネジ部と、前記コーンの大径側端面に六角形状等の凹部を形成し、前記凹部の底面に十字形状等の締結具で挿入螺合できる十字形状等の締結溝と、軸足ボルトの一端を螺合する軸足受溝の雌ネジ部から構成されていることを特徴とする。また、コンクリート型枠を、コンクリート打設面に固定してコンクリートを打設しコンクリート躯体を形成するコンクリート打設工程と、形成されたコンクリート躯体から型枠間隔保持接続兼用型枠除去具を螺合離脱させ、コンクリート型枠を解体撤去するコンクリート型枠除去工程とを有する請求項１記載のコンクリート型枠工法である。さらに、上記構成としたことでセメントペーストが前記コーンの凹部に固着することを防止できる。また、六角形状等の締結受部を形成したことで型枠除去後、従来同様の締結具も使用できる。
【０００８】  円錐台形状のコーンの小径側端面に、セパレータの一端を螺合するセパレータ受溝の雌ネジ部と、前記コーンの大径側端面に突出する軸足と、前記軸足の先端を四角形状等の締結凸部に形成し、前記先端に四角形状等の締結具を螺合できるように構成されていることを特徴とする。また、コンクリート型枠を、コンクリート打設面に固定してコンクリートを打設しコンクリート躯体を形成するコンクリート打設工程と、形成されたコンクリート躯体から型枠間隔保持接続兼用型枠除去具を螺合離脱させて、コンクリート型枠を解体撤去するコンクリート型枠除去工程とを有する請求項２記載のコンクリート型枠工法である。さらに、軸足底部に六角形状等の締結受部を形成したことで型枠除去後、従来同様の締結具も使用できる。
【０００９】  セパレータと雌ネジが一体となった型枠間隔保持具に、接続される軸足ボルトで、一端に十字形状等の締結具で螺合できる十字形状等の締結溝と、中央に板状の締結受部から構成されていることを特徴とする。また、コンクリート型枠に、コンクリート打設面に固定してコンクリートを打設しコンクリート躯体を形成するコンクリート打設工程と、形成されたコンクリート躯体から型枠間隔保持接続兼用型枠除去具を螺合離脱させ、コンクリート型枠を解体撤去するコンクリート型枠除去工程とを有する請求項３記載のコンクリート型枠工法である。さらに、図５に示すように前記間隔保持具の先端部を拡径として、前記締結受部を覆うようにすることでセメントペーストによる固着を防止し、前記ボルトの螺合離脱を容易にする。
【発明を実施するための最良の形態】
【００１０】  以下、本発明の第１の実施形態について説明する。
（実施形態１）
図１〜３に示す円錐台形状のコーン２の小径側端面に、セパレータの一端を螺合するセパレータ受溝の雌ネジ部３と、前記コーンの大径側端面に六角形状等の凹部４を形成し、前記凹部の底面に十字形状等の締結具５で挿入螺合できる十字形状等の締結溝６と、軸足ボルト７の一端を螺合する軸足受溝の雌ネジ部８から構成され、型枠に設ける貫通孔を介在させて取付けることを特徴とする。また、コンクリート型枠を、コンクリート打設面に固定してコンクリートを打設しコンクリート躯体を形成するコンクリート打設工程と、形成されたコンクリート躯体から型枠間隔保持接続兼用型枠除去具１ａの前記凹部の底面に、前記締結具５で挿入し前記締結溝６に嵌め込み振動回転させることで、前記コーンがセパレータより螺合離脱することで型枠を押圧する。その際に型枠も同時にコンクリート表面より剥離する相乗効果が生じ作業向上をさせる。即ち、上記構成からなるコンクリート型枠を解体撤去するコンクリート型枠除去工程とを有する請求項１記載のコンクリート型枠工法。【００１１】  以下、本発明の第２の実施形態について説明する。
（実施形態２）
図４に示す円錐台形状のコーン２の小径側端面に、セパレータの一端を螺合するセパレータ受溝の雌ネジ部３と、前記コーンの大径側端面に突出する軸足と、前記軸足の先端を四角形状等の締結凸部６ｂに形成し、前記先端に四角形状等の締結具９を螺合できるように構成され、型枠に設ける貫通孔を介在させて取付けることを特徴とする。また、コンクリート型枠を、コンクリート打設面に固定してコンクリートを打設しコンクリート躯体を形成するコンクリート打設工程と、形成されたコンクリート躯体から型枠間隔保持接続兼用型枠除去具１ｂの前記軸足先端からなる四角形状等の締結凸部６ｂに、前記締結具９で挿入し振動回転させることで、前記コーンがセパレータより螺合離脱することで型枠を押圧する。その際に型枠も同時にコンクリート表面より剥離する相乗効果が生じ作業向上をさせる。即ち、上記構成からなるコンクリート型枠を解体撤去するコンクリート型枠除去工程とを有する請求項２記載のコンクリート型枠工法。【００１２】  以下、本発明の第３の実施形態について説明する。
（実施形態３）
図５に示すセパレータと雌ネジが一体となったに、接続される軸足ボルト７で、一端に十字形状等の締結具５で螺合できる十字形状等の締結溝６と、中央に板状の締結受部１２から構成され、型枠に設ける貫通孔を介在させて取付けることを特徴とする。また、コンクリート型枠を、コンクリート打設面に固定してコンクリートを打設しコンクリート躯体を形成するコンクリート打設工程と、形成されたコンクリート躯体から型枠間隔保持接続兼用型枠除去具１ｃの前記締結溝６に、前記締結具５を挿入し前記締結溝６に振動回転させることで、前記締結受部１２が前記型枠間隔保持具より螺合離脱することで型枠を押圧する。その際に型枠も同時にコンクリート表面より剥離する相乗効果が生じ作業向上をさせる。即ち、上記構成からなるコンクリート型枠を解体撤去するコンクリート型枠除去工程とを有する請求項３記載のコンクリート型枠工法。
【図面の簡単な説明】
【００１３】
【図１】  実施形態１に係る型枠間隔保持接続兼用型枠除去具の拡大詳細図である。
【図２】  実施形態１に係る型枠間隔保持接続兼用型枠除去具の取り付け図である。
【図３】  実施形態１に係る型枠間隔保持接続兼用型枠除去具の分解図である。
【図４】  実施形態２に係る型枠間隔保持接続兼用型枠除去具の取り付け図である。
【図５】  実施形態３に係る型枠間隔保持接続兼用型枠除去具の取り付け図である。
【符号の説明】
【００１４】  １ａ  型枠間隔保持接続兼用型枠除去具。
１ｂ  型枠間隔保持接続兼用型枠除去具。
１ｃ  型枠間隔保持接続兼用型枠除去具。
２  円錐台形状のコーン
３  セパレータ受溝の雌ネジ部
４  六角形状等の凹部
５  十字形状等の締結具（十字ドライバー類）
６  十字形状等の締結溝
６ｂ  四角形状等の締結凸部
７  軸足ボルト
８  軸足受溝の雌ネジ部
９  四角形状等の締結具（ソケット・レンチ類）
１０  六角形状等の締結具（ソケット・レンチ類）
１１  六角形状等の締結受部
１２  板状の締結受部
【図１】
2008255760.tif 000003
【図２】
2008255760.tif 000004
【図３】
2008255760.tif 000005
【図４】
2008255760.tif 000006
【図５】
2008255760.tif 000007